(57)【要約】【課題】コリメータがＸ線検出器のＸ線入射面上に複数個のＸ線検出素子を区切るように配置されていても、Ｘ線検出器に対するＸ線ビームの位置変化によるＸ線強度補正の誤差を少なくする。【解決手段】Ｘ線検出器２４におけるレファレンスチャネル２７のＸ線検出素子も、メインチャネル２６と同様に、複数個のＸ線検出素子を区切るよう複数のコリメータ板２５を配置する。レファレンスチャネル２７のＸ線検出素子のうち、チャネル方向ｃｈにおける近傍のコリメータ板２５との相対的な位置関係が、補正対象の検出データが得られたメインチャネル２６のＸ線検出素子と実質的に同じであるＸ線検出素子により得られた検出データを用いて、Ｘ線強度補正を行う。【選択図】図７
2011229605.tif 000002
【特許請求の範囲】
【請求項１】
Ｘ線を照射するＸ線管と、
前記Ｘ線を検出するＸ線検出素子が少なくともチャネル方向に複数配列されており、画像再構成に用いる検出データを得るためのメインチャネルと、該検出データの補正に用いる検出データを得るためのレファレンスチャネルとが割り当てられているＸ線検出器とを備えているＸ線ＣＴ装置であって、
前記Ｘ線検出器は、板面が前記Ｘ線管から照射されるＸ線の方向と平行になるように前記Ｘ線検出器のＸ線入射面上に立設された複数のコリメータ板を備えており、
該複数のコリメータ板の少なくとも一部は、前記メインチャネルの少なくとも一部と前記レファレンスチャネルの少なくとも一部において、チャネル方向に複数である所定数のＸ線検出素子を挟んで配置されているＸ線ＣＴ装置。
【請求項２】
前記メインチャネルのＸ線検出素子により得られた検出データを、前記レファレンスチャネルのＸ線検出素子により得られた検出データを用いて正規化するＸ線強度補正を行う補正手段と、
前記Ｘ線強度補正が行われた検出データに基づいて画像再構成を行う再構成手段とをさらに備えており、
前記補正手段は、前記レファレンスチャネルのＸ線検出素子のうち、チャネル方向における近傍の前記コリメータ板との相対的な位置関係が、補正対象の検出データが得られたメインチャネルのＸ線検出素子と実質的に同じであるＸ線検出素子により得られた検出データを用いて、前記Ｘ線強度補正を行う請求項１に記載のＸ線ＣＴ装置。
【請求項３】
前記複数のコリメータ板は、Ｘ線検出素子をチャネル方向に所定の複数個ずつ区切るよう配置されている請求項１または請求項２に記載のＸ線ＣＴ装置。
【請求項４】
前記所定の複数個は、２から５個のいずれかである請求項３に記載のＸ線ＣＴ装置。
【請求項５】
前記複数のコリメータ板は、前記メインチャネルおよびレファレンスチャネルのそれぞれについて、チャネル方向における一部の領域のＸ線検出素子をチャネル方向に１以上の第１の所定個で区切るとともに、チャネル方向における他の少なくとも一部の領域のＸ線検出素子をチャネル方向に該第１の所定個とは異なる２以上の第２の所定個で区切るよう配置されている請求項１または請求項２に記載のＸ線ＣＴ装置。
【請求項６】
Ｘ線を照射するＸ線管と、
前記Ｘ線を検出するＸ線検出素子がチャネル方向および列方向に複数配列されており、画像再構成に用いる検出データを得るためのメインチャネルと、該検出データの補正に用いる検出データを得るためのレファレンスチャネルとが割り当てられているＸ線検出器とを備えているＸ線ＣＴ装置であって、
前記Ｘ線検出器は、板面が前記Ｘ線管から照射されるＸ線の方向と平行になるように前記Ｘ線検出器のＸ線入射面上に立設された複数のコリメータ板を備えており、
該複数のコリメータ板の少なくとも一部は、前記メインチャネルの少なくとも一部と前記レファレンスチャネルの少なくとも一部において、チャネル方向に複数である所定数のＸ線検出素子を挟んで配置されているとともに、列方向に複数である所定数のＸ線検出素子を挟んで配置されているＸ線ＣＴ装置。
【請求項７】
前記メインチャネルのＸ線検出素子により得られた検出データを、前記レファレンスチャネルのＸ線検出素子により得られた検出データを用いて正規化するＸ線強度補正を行う補正手段と、
前記Ｘ線強度補正が行われた検出データに基づいて画像再構成を行う再構成手段とをさらに備えており、
前記補正手段は、前記レファレンスチャネルのＸ線検出素子のうち、チャネル方向および列方向における近傍の前記コリメータ板との相対的な位置関係が、補正対象の検出データが得られたメインチャネルのＸ線検出素子と実質的に同じであるＸ線検出素子により得られた検出データを用いて、前記Ｘ線強度補正を行う請求項６に記載のＸ線ＣＴ装置。
【請求項８】
前記複数のコリメータ板は、Ｘ線検出素子をチャネル方向に第１の複数個ずつ区切るとともに、列方向に第２の複数個ずつ区切るよう配置されている請求項６または請求項７に記載のＸ線ＣＴ装置。
【請求項９】
前記第１および第２の複数個は、２から５個のいずれかである請求項８に記載のＸ線ＣＴ装置。
【請求項１０】
前記複数のコリメータ板は、前記メインチャネルおよびレファレンスチャネルのそれぞれについて、チャネル方向における一部の領域のＸ線検出素子を１以上の第１の所定個で区切るとともに、チャネル方向における他の少なくとも一部の領域のＸ線検出素子を該第１の所定個とは異なる２以上の第２の所定個で区切り、列方向における一部の領域のＸ線検出素子を１以上の第３の所定個で区切るとともに、列方向における他の少なくとも一部の領域のＸ線検出素子を該第３の所定個とは異なる２以上の第４の所定個で区切るよう配置されている請求項６または請求項７に記載のＸ線ＣＴ装置。
【請求項１１】
Ｘ線を照射するＸ線管と、
前記Ｘ線を検出するＸ線検出素子がチャネル方向および列方向に複数配列されており、画像再構成に用いる検出データを得るためのメインチャネルと、該検出データの補正に用いる検出データを得るためのレファレンスチャネルとが割り当てられているＸ線検出器と、
前記メインチャネルのＸ線検出素子により得られた検出データを、前記レファレンスチャネルのＸ線検出素子により得られた検出データを用いて正規化するＸ線強度補正を行う補正手段と、
前記Ｘ線強度補正が行われた検出データに基づいて画像再構成を行う再構成手段とを備えているＸ線ＣＴ装置であって、
前記Ｘ線検出器は、板面が前記Ｘ線管から照射されるＸ線の方向と平行になるように前記Ｘ線検出器のＸ線入射面上に立設された複数のコリメータ板を備えており、
前記複数のコリメータ板の少なくとも一部は、前記メインチャネルの少なくとも一部と前記レファレンスチャネルの少なくとも一部において、列方向に複数である所定数のＸ線検出素子を挟んで配置されており、
前記補正手段は、前記レファレンスチャネルのＸ線検出素子のうち、列方向における近傍の前記コリメータ板との相対的な位置関係が、補正対象の検出データが得られたメインチャネルのＸ線検出素子と実質的に同じであるＸ線検出素子により得られた検出データを用いて、前記Ｘ線強度補正を行うＸ線ＣＴ装置。
【請求項１２】
前記レファレンスチャネルは、前記Ｘ線検出器のチャネル方向における端部に割り当てられている請求項１から請求項１１のいずれか一項に記載のＸ線ＣＴ装置。
【請求項１３】
前記レファレンスチャネルは、前記コリメータ板との相対的な位置関係の種類ごとに複数のＸ線検出素子を含んでおり、
前記補正手段は、該複数のＸ線検出素子により得られた検出データの平均値を用いて、前記Ｘ線強度補正を行う請求項２、請求項７または請求項１１に記載のＸ線ＣＴ装置。
【請求項１４】
Ｘ線を検出するＸ線検出素子が少なくともチャネル方向に複数配列されており、画像再構成に用いる検出データを得るためのメインチャネルと、該検出データの補正に用いる検出データを得るためのレファレンスチャネルとが割り当てられているＸ線ＣＴ装置用のＸ線検出器であって、
板面がＸ線ＣＴ装置のＸ線管から照射されるＸ線の方向と平行になるように前記Ｘ線検出器のＸ線入射面上に立設された複数のコリメータ板を備えており、
該複数のコリメータ板の少なくとも一部は、前記メインチャネルの少なくとも一部と前記レファレンスチャネルの少なくとも一部において、チャネル方向に複数である所定数のＸ線検出素子を挟んで配置されているＸ線検出器。
【請求項１５】
Ｘ線を検出するＸ線検出素子がチャネル方向および列方向に複数配列されており、画像再構成に用いる検出データを得るためのメインチャネルと、該検出データの補正に用いる検出データを得るためのレファレンスチャネルとが割り当てられているＸ線ＣＴ装置用のＸ線検出器であって、
板面がＸ線ＣＴ装置のＸ線管から照射されるＸ線の方向と平行になるように前記Ｘ線検出器のＸ線入射面上に立設された複数のコリメータ板を備えており、
該複数のコリメータ板の少なくとも一部は、前記メインチャネルの少なくとも一部と前記レファレンスチャネルの少なくとも一部において、チャネル方向に複数である所定数のＸ線検出素子を挟んで配置されているとともに、列方向に複数である所定数のＸ線検出素子を挟んで配置されているＸ線検出器。
【発明の詳細な説明】
【技術分野】
【０００１】
本発明は、レファレンスチャネル（reference channel）が割り当てられたＸ線検出器およびそのＸ線検出器を備えているＸ線ＣＴ（Computed Tomography）装置に関する。
【背景技術】
【０００２】
従来、Ｘ線検出器の端部に設けられたレファレンスチャネルの検出データ（data）を用いて、Ｘ線強度補正（Ｘ線線量補正ともいう）を行うＸ線ＣＴ装置が知られている（例えば、特許文献１，要約、特許文献２，要約等参照）。
【先行技術文献】
【特許文献】
【０００３】
【特許文献１】特開２００６−１０２２９９号公報
【特許文献２】特開２００３−０５２６８５号公報
【発明の概要】
【発明が解決しようとする課題】
【０００４】
一般的に、Ｘ線検出器のＸ線入射面には、散乱線除去用のコリメータ（collimator）が設置される。散乱線を効率的に除去するには、チャネル方向や列方向にＸ線検出素子を１個ずつ区切るようにコリメータ板を配置するとよい。
【０００５】
しかし、実際には、部品コスト（cost）の削減や、Ｘ線検出素子の微細化・多数化への対応等を目的として、複数個のＸ線検出素子を区切るようにコリメータ板を配置したい場合がある。
【０００６】
この場合において、諸種の理由により、散乱線以外の直接Ｘ線ビームの位置がＸ線検出器に対して変化すると、その直接Ｘ線ビーム（beam）とコリメータ板の板面との平行関係が微妙に崩れ、直接Ｘ線ビームとコリメータ板の板面とが干渉する。そして、Ｘ線検出素子に照射されるＸ線の線量が変化する。コリメータ板がＸ線検出素子を１個ずつ区切るように配置されている場合、その変化の仕方は一様であると考えられる。一方、コリメータ板がＸ線検出素子を複数個ずつ区切るように配置されている場合には、その変化の仕方は、Ｘ線検出素子とコリメータ板との相対的な位置関係に応じて異なる。したがって、このような場合に、個々のＸ線検出素子による検出データに対して、一様に同じレファレンス用の検出データを用いてＸ線強度補正を行うと、チャネル間でＸ線強度補正の誤差が発生することになる。Ｘ線強度補正の誤差は、再構成画像上にリングアーチファクト（ring artifact）を生じさせる。
【０００７】
このような事情により、コリメータがＸ線検出器のＸ線入射面上に複数個のＸ線検出素子を区切るように配置されていても、Ｘ線検出器に対するＸ線ビームの位置変化によるＸ線強度補正の誤差を少なくすることができるＸ線ＣＴ装置が望まれている。
【課題を解決するための手段】
【０００８】
第１の観点の発明は、Ｘ線を照射するＸ線管と、前記Ｘ線を検出するＸ線検出素子が少なくともチャネル方向に複数配列されており、画像再構成に用いる検出データを得るためのメインチャネル（main channel）と、該検出データの補正に用いる検出データを得るためのレファレンスチャネルとが割り当てられているＸ線検出器とを備えているＸ線ＣＴ装置であって、前記Ｘ線検出器が、板面が前記Ｘ線管から照射されるＸ線の方向と平行になるように前記Ｘ線検出器のＸ線入射面上に立設された複数のコリメータ板を備えており、該複数のコリメータ板の少なくとも一部が、前記メインチャネルの少なくとも一部と前記レファレンスチャネルの少なくとも一部において、チャネル方向に複数である所定数のＸ線検出素子を挟んで配置されているＸ線ＣＴ装置を提供する。
【０００９】
第２の観点の発明は、前記メインチャネルのＸ線検出素子により得られた検出データを、前記レファレンスチャネルのＸ線検出素子により得られた検出データを用いて正規化するＸ線強度補正を行う補正手段と、前記Ｘ線強度補正が行われた検出データに基づいて画像再構成を行う再構成手段とをさらに備えており、前記補正手段が、前記レファレンスチャネルのＸ線検出素子のうち、チャネル方向における近傍の前記コリメータ板との相対的な位置関係が、補正対象の検出データが得られたメインチャネルのＸ線検出素子と実質的に同じであるＸ線検出素子により得られた検出データを用いて、前記Ｘ線強度補正を行う上記第１の観点のＸ線ＣＴ装置を提供する。
【００１０】
第３の観点の発明は、前記複数のコリメータ板が、Ｘ線検出素子をチャネル方向に所定の複数個ずつ区切るよう配置されている上記第１の観点または第２の観点のＸ線ＣＴ装置を提供する。
【００１１】
第４の観点の発明は、前記所定の複数個が、２から５個のいずれかである上記第３の観点のＸ線ＣＴ装置を提供する。
【００１２】
第５の観点の発明は、前記複数のコリメータ板が、前記メインチャネルおよびレファレンスチャネルのそれぞれについて、チャネル方向における一部の領域のＸ線検出素子をチャネル方向に１以上の第１の所定個で区切るとともに、チャネル方向における他の少なくとも一部の領域のＸ線検出素子をチャネル方向に該第１の所定個とは異なる２以上の第２の所定個で区切るよう配置されている上記第１の観点または第２の観点のＸ線ＣＴ装置を提供する。
【００１３】
第６の観点の発明は、Ｘ線を照射するＸ線管と、前記Ｘ線を検出するＸ線検出素子がチャネル方向および列方向に複数配列されており、画像再構成に用いる検出データを得るためのメインチャネルと、該検出データの補正に用いる検出データを得るためのレファレンスチャネルとが割り当てられているＸ線検出器とを備えているＸ線ＣＴ装置であって、前記Ｘ線検出器が、板面が前記Ｘ線管から照射されるＸ線の方向と平行になるように前記Ｘ線検出器のＸ線入射面上に立設された複数のコリメータ板を備えており、該複数のコリメータ板の少なくとも一部が、前記メインチャネルの少なくとも一部と前記レファレンスチャネルの少なくとも一部において、チャネル方向に複数である所定数のＸ線検出素子を挟んで配置されているとともに、列方向に複数である所定数のＸ線検出素子を挟んで配置されているＸ線ＣＴ装置を提供する。
【００１４】
第７の観点の発明は、前記メインチャネルのＸ線検出素子により得られた検出データを、前記レファレンスチャネルのＸ線検出素子により得られた検出データを用いて正規化するＸ線強度補正を行う補正手段と、前記Ｘ線強度補正が行われた検出データに基づいて画像再構成を行う再構成手段とをさらに備えており、前記補正手段が、前記レファレンスチャネルのＸ線検出素子のうち、チャネル方向および列方向における近傍の前記コリメータ板との相対的な位置関係が、補正対象の検出データが得られたメインチャネルのＸ線検出素子と実質的に同じであるＸ線検出素子により得られた検出データを用いて、前記Ｘ線強度補正を行う上記第６の観点のＸ線ＣＴ装置を提供する。
【００１５】
第８の観点の発明は、前記複数のコリメータ板が、Ｘ線検出素子をチャネル方向に第１の複数個ずつ区切るとともに、列方向に第２の複数個ずつ区切るよう配置されている上記第６の観点または第７の観点のＸ線ＣＴ装置を提供する。
【００１６】
第９の観点の発明は、前記第１および第２の複数個が、２から５個のいずれかである上記第８の観点のＸ線ＣＴ装置を提供する。
【００１７】
第１０の観点の発明は、前記複数のコリメータ板が、前記メインチャネルおよびレファレンスチャネルのそれぞれについて、チャネル方向における一部の領域のＸ線検出素子を１以上の第１の所定個で区切るとともに、チャネル方向における他の少なくとも一部の領域のＸ線検出素子を該第１の所定個とは異なる２以上の第２の所定個で区切り、列方向における一部の領域のＸ線検出素子を１以上の第３の所定個で区切るとともに、列方向における他の少なくとも一部の領域のＸ線検出素子を該第３の所定個とは異なる２以上の第４の所定個で区切るよう配置されている上記第６の観点または第７の観点のＸ線ＣＴ装置を提供する。
【００１８】
第１１の観点の発明は、Ｘ線を照射するＸ線管と、前記Ｘ線を検出するＸ線検出素子がチャネル方向および列方向に複数配列されており、画像再構成に用いる検出データを得るためのメインチャネルと、該検出データの補正に用いる検出データを得るためのレファレンスチャネルとが割り当てられているＸ線検出器と、前記メインチャネルのＸ線検出素子により得られた検出データを、前記レファレンスチャネルのＸ線検出素子により得られた検出データを用いて正規化するＸ線強度補正を行う補正手段と、前記Ｘ線強度補正が行われた検出データに基づいて画像再構成を行う再構成手段とを備えているＸ線ＣＴ装置であって、前記Ｘ線検出器が、板面が前記Ｘ線管から照射されるＸ線の方向と平行になるように前記Ｘ線検出器のＸ線入射面上に立設された複数のコリメータ板を備えており、前記複数のコリメータ板の少なくとも一部が、前記メインチャネルの少なくとも一部と前記レファレンスチャネルの少なくとも一部において、列方向に複数である所定数のＸ線検出素子を挟んで配置されており、前記補正手段が、前記レファレンスチャネルのＸ線検出素子のうち、列方向における近傍の前記コリメータ板との相対的な位置関係が、補正対象の検出データが得られたメインチャネルのＸ線検出素子と実質的に同じであるＸ線検出素子により得られた検出データを用いて、前記Ｘ線強度補正を行うＸ線ＣＴ装置を提供する。
【００１９】
第１２の観点の発明は、前記レファレンスチャネルが、前記Ｘ線検出器のチャネル方向における端部に割り当てられている上記第１の観点から第１１の観点のいずれか一つの観点のＸ線ＣＴ装置を提供する。
【００２０】
第１３の観点の発明は、前記レファレンスチャネルが、前記コリメータ板との相対的な位置関係の種類ごとに複数のＸ線検出素子を含んでおり、前記補正手段が、該複数のＸ線検出素子により得られた検出データの平均値を用いて、前記Ｘ線強度補正を行う上記第２の観点、第７の観点または第１１の観点のＸ線ＣＴ装置を提供する。
【００２１】
第１４の観点の発明は、Ｘ線を検出するＸ線検出素子が少なくともチャネル方向に複数配列されており、画像再構成に用いる検出データを得るためのメインチャネルと、該検出データの補正に用いる検出データを得るためのレファレンスチャネルとが割り当てられているＸ線ＣＴ装置用のＸ線検出器であって、板面がＸ線ＣＴ装置のＸ線管から照射されるＸ線の方向と平行になるように前記Ｘ線検出器のＸ線入射面上に立設された複数のコリメータ板を備えており、該複数のコリメータ板の少なくとも一部が、前記メインチャネルの少なくとも一部と前記レファレンスチャネルの少なくとも一部において、チャネル方向に複数である所定数のＸ線検出素子を挟んで配置されているＸ線検出器を提供する。
【００２２】
第１５の観点の発明は、Ｘ線を検出するＸ線検出素子がチャネル方向および列方向に複数配列されており、画像再構成に用いる検出データを得るためのメインチャネルと、該検出データの補正に用いる検出データを得るためのレファレンスチャネルとが割り当てられているＸ線ＣＴ装置用のＸ線検出器であって、板面がＸ線ＣＴ装置のＸ線管から照射されるＸ線の方向と平行になるように前記Ｘ線検出器のＸ線入射面上に立設された複数のコリメータ板を備えており、該複数のコリメータ板の少なくとも一部が、前記メインチャネルの少なくとも一部と前記レファレンスチャネルの少なくとも一部において、チャネル方向に複数である所定数のＸ線検出素子を挟んで配置されているとともに、列方向に複数である所定数のＸ線検出素子を挟んで配置されているＸ線検出器を提供する。
【発明の効果】
【００２３】
上記観点の発明によれば、コリメータがＸ線検出器のＸ線入射面上に複数個のＸ線検出素子を区切るように配置されていても、Ｘ線検出器に対するＸ線ビームの位置変化によるＸ線強度補正の誤差を少なくすることができるＸ線ＣＴ装置を実現させることができる。
【図面の簡単な説明】
【００２４】
【図１】第一実施形態のＸ線ＣＴ装置の構成を概略的に示す図である。
【図２】第一実施形態によるＸ線検出器の模式的構成を示す図である。
【図３】Ｘ線管とアパーチャ（aperture）とＸ線検出器の相互関係を示す図である。
【図４】第一実施形態によりＸ線を照射および検出する様子を示す図である。
【図５】Ｘ線焦点の位置の移動により、Ｘ線ビームとコリメータ板の板面とが干渉する様子を示す図である。
【図６】第一実施形態のＸ線ＣＴ装置におけるＸ線強度補正に関わる部分の機能ブロック（block）図である。
【図７】第一実施形態によるＸ線強度補正を概念的に示す図である。
【図８】第二実施形態によるＸ線検出器の模式的構成を示す図である。
【図９】第二実施形態のＸ線ＣＴ装置におけるＸ線強度補正に関わる部分の機能ブロック図である。
【図１０】第二実施形態によるＸ線強度補正の一部を概念的に示す図である。
【図１１】第三実施形態によるＸ線検出器の模式的構成を示す図である。
【図１２】第四実施形態によるＸ線検出器の模式的構成を示す図である。
【図１３】第五実施形態によるＸ線検出器の模式的構成を示す図である。
【図１４】第六実施形態によるＸ線検出器の模式的構成を示す図である。
【図１５】第七実施形態によるＸ線検出器の模式的構成を示す図である。
【発明を実施するための形態】
【００２５】
以下、発明の実施形態について説明する。
【００２６】
（第一実施形態）
図１は、第一実施形態のＸ線ＣＴ装置の構成を概略的に示す図である。
【００２７】
図１に示すように、本Ｘ線ＣＴ装置は、走査ガントリ（gantry）２、撮影テーブル（table）４、および操作コンソール（console）６を備えている。走査ガントリ２は、Ｘ線管２０を有する。Ｘ線管２０から放射された図示しないＸ線は、アパーチャ２２により、例えば扇状のファンビーム（fan beam）やコーンビーム（cone beam）のＸ線ビームとなるように成形され、Ｘ線検出器２４に照射される。
【００２８】
Ｘ線検出器２４は、扇状のＸ線ビームの広がり方向（チャネル方向という）および厚み方向（列方向という）に、マトリクス（matrix）状に配列された複数のＸ線検出素子を有する。Ｘ線検出器２４の構成については、後にあらためて説明する。
【００２９】
Ｘ線検出器２４にはデータ収集部２６が接続されている。データ収集部２６は、Ｘ線検出器２４の個々のＸ線検出素子による検出データを収集する。Ｘ線管２０からのＸ線の照射は、Ｘ線コントローラ（controller）２８によって制御される。なお、Ｘ線管２０とＸ線コントローラ２８との接続関係については図示を省略する。
【００３０】
Ｘ線コントローラ２８がＸ線管２０に供給する管電圧および管電流に関するデータが、データ収集部２６によって収集される。なお、Ｘ線コントローラ２８とデータ収集部２６との接続関係については図示を省略する。
【００３１】
アパーチャ２２は、アパーチャコントローラ３０によって制御される。なお、アパーチャ２２とアパーチャコントローラ３０との接続関係については図示を省略する。
【００３２】
以上のＸ線管２０からアパーチャコントローラ３０までのものが、走査ガントリ２の回転部３４に搭載されている。回転部３４の回転は、回転コントローラ３６によって制御される。なお、回転部３４と回転コントローラ３６との接続関係については図示を省略する。
【００３３】
撮影テーブル４は、図示しない撮影の対象を走査ガントリ２のＸ線照射空間に搬入および搬出するようになっている。対象とＸ線照射空間との関係については後にあらためて説明する。
【００３４】
操作コンソール６は、中央処理装置６０を有する。中央処理装置６０は、例えばコンピュータ（computer）等によって構成される。中央処理装置６０には、制御インタフェース（interface）６２が接続されている。制御インタフェース６２には、走査ガントリ２と撮影テーブル４が接続されている。中央処理装置６０は、制御インタフェース６２を通じて走査ガントリ２および撮影テーブル４を制御する。
【００３５】
走査ガントリ２内のデータ収集部２６、Ｘ線コントローラ２８、アパーチャコントローラ３０および回転コントローラ３６が、制御インタフェース６２を通じて制御される。なお、それら各部と制御インタフェース６２との個別の接続については図示を省略する。
【００３６】
中央処理装置６０には、また、データ収集バッファ（buffer）６４が接続されている。データ収集バッファ６４には、走査ガントリ２のデータ収集部２６が接続されている。データ収集部２６で収集されたデータが、データ収集バッファ６４を通じて中央処理装置６０に入力される。
【００３７】
中央処理装置６０は、データ収集バッファ６４を通じて収集した複数ビューの透過Ｘ線の検出データを用いて画像再構成を行う。画像再構成には、例えばフィルタード・バックプロジェクション（filtered back projection）法等が用いられる。
【００３８】
中央処理装置６０には、また、記憶装置６６が接続されている。記憶装置６６は、各種のデータや再構成画像および本Ｘ線ＣＴ装置の機能を実現するためのプログラム（program）等を記憶する。
【００３９】
中央処理装置６０には、また、表示装置６８と入力装置７０がそれぞれ接続されている。表示装置６８は、中央処理装置６０から出力される再構成画像やその他の情報を表示する。入力装置７０は、操作者によって操作され、各種の指示や情報等を中央処理装置６０に入力する。操作者は、表示装置６８および入力装置７０を使用してインタラクティブ（interactive）に本Ｘ線ＣＴ装置を操作する。
【００４０】
図２は、第一実施形態によるＸ線検出器２４の模式的構成を示す図である。図２（ａ）は、Ｘ線検出器２４をＸ線管２０側から見た図、図２（ｂ）は、Ｘ線検出器２４を列方向ｒｏｗ（回転部３４の回転軸方向）に見た図である。図２に示すように、Ｘ線検出器２４は、Ｘ線検出素子をチャネル方向ｃｈおよび列方向ｒｏｗに複数配列した多列検出器となっている。
【００４１】
複数のＸ線検出素子２４（ｉｋ）は、全体として、円筒凹面状に湾曲したＸ線入射面を形成する。ｉはチャンネル番号であり、例えばｉ＝１，２，・・・，１０００である。ｋは列番号であり、例えばｋ＝１，２，・・・，８である。Ｘ線検出素子２４（ｉｋ）は、列番号ｋが同一なもの同士でそれぞれ検出素子列を構成する。
【００４２】
Ｘ線検出素子２４（ｉｋ）は、例えばシンチレータ（scintillator）とフォトダイオード（photodiode）の組合せによって構成される。
【００４３】
なお、本例では、説明を簡便にするため、Ｘ線検出器２４の検出素子列を８列としているが、これに限るものではなく、例えば１６列、３２列、６４列、あるいはそれ以上のものであってよい。
【００４４】
図２に示すように、Ｘ線検出器２４は、Ｘ線入射面上に、散乱線除去用の複数のコリメータ板２５を有している。コリメータ板２５は、列方向ｒｏｗに延びており、Ｘ線検出器２４の各検出素子列のＸ線検出素子をチャネル方向ｃｈに２個ずつ区切るように配置されている。なお、本例では、コリメータ板２５は、Ｘ線検出素子を２個ずつ区切るように配置されているが、もちろんこれに限定されず、所定の複数個ずつ区切るようにしてよい。ただし、この所定の複数個は、あまり大きく取りすぎるとコリメータ板２５による散乱線の除去効果が失われるので、例えば２〜５個程度を考えることができる。それぞれのコリメータ板２５は、その板面が、Ｘ線管２０の（標準的な所定位置にあることを想定した）Ｘ線焦点からＸ線検出器２４に向けて照射されるＸ線ビームの方向と平行になるような向きで設けられている。
【００４５】
Ｘ線検出器２４のチャネル方向ｃｈの一端部における所定個のＸ線検出素子は、レファレンスチャンネル２７として割り当てられており、それ以外は画像の再構成に用いるデータを検出するためのメインチャネル２６として割り当てられている。
【００４６】
上記の所定個は、例えば、コリメータ板２５でチャネル方向ｃｈにＸ線検出素子を区切る個数の倍数、すなわち、隣り合うコリメータ板２５同士の間に挟まれるＸ線検出素子の個数の倍数とすることができるが、本例では、２個の３倍で６個とする。なお、一般的に、レファレンスチャネルは、撮影の対象を透過しないＸ線が照射されるようＸ線検出器２４の端部に割り当てられるが、これに限定されるものではない。また、レファレンスチャネルは、Ｘ線検出器２４のチャネル方向ｃｈの両端部に設けてもよい。
【００４７】
なお、複数のコリメータ板２５は、本例に限定されず、複数のコリメータ板２５の少なくとも一部が、メインチャネル２６の少なくとも一部とレファレンスチャネル２７の少なくとも一部において、チャネル方向ｃｈに複数である所定数のＸ線検出素子を挟んで配置されていればよい。
【００４８】
図３は、Ｘ線管２０とアパーチャ２２とＸ線検出器２４の相互関係を示す図である。なお、図３（ａ）は走査ガントリ２の正面から見た状態を示す図、図３（ｂ）は側面から見た状態を示す図である。同図に示すように、Ｘ線管２０から放射されたＸ線は、アパーチャ２２により扇状のＸ線ビーム４００となるように成形され、Ｘ線検出器２４に照射されるようになっている。図３（ａ）では、扇状のＸ線ビーム４００の広がりを示す。図３（ｂ）ではＸ線ビーム４００の厚みを示す。
【００４９】
このようなＸ線ビーム４００の扇面に体軸を交差させて、例えば図４に示すように、撮影テーブル４に載置された対象８がＸ線照射空間に搬入される。
【００５０】
Ｘ線照射空間は、走査ガントリ２の筒状構造の内側空間に形成される。Ｘ線ビーム４００によってスライスされた対象８の像が、Ｘ線検出器２４に投影される。Ｘ線検出器２４によって、対象８を透過したＸ線が検出される。対象８に照射するＸ線ビーム４００の厚みｔｈは、アパーチャ２２のアパーチャの開度により調節される。
【００５１】
Ｘ線管２０、アパーチャ２２およびＸ線検出器２４は、それらの相互関係を保ったまま対象８の体軸の周りを回転する。１スキャン（scan）当たり複数のビュー（view）、例えば１０００ビュー程度の投影データ（検出データ）が収集される。投影データの収集は、Ｘ線検出器２４−データ収集部２６−データ収集バッファ６４の系統によって行われる。
【００５２】
データ収集バッファ６４に収集された投影データに基づいて、中央処理装置６０により断層像の生成すなわち画像再構成が行われる。画像再構成は、スキャンで得られた例えば１０００ビュー程度の投影データを、例えばフィルタード・バックプロジェクション法によって処理すること等により行われる。
【００５３】
これより、本実施形態によるＸ線強度補正について説明する。
【００５４】
Ｘ線管２０の出力すなわち照射するＸ線の線量は、通常、時間的に変動する。照射されるＸ線の線量の変動すなわちＸ線強度の変動は、Ｘ線検出器２４による検出データに反映されることになり、このような検出データをそのまま用いて画像再構成すると、再構成画像にアーチファクトが生じる。そこで、一般的には、メインチャネル２６のＸ線検出素子２４（ｉｋ）による検出データ（以下、メイン検出データという）に対して、同じビューで得られたレファレンスチャネル２７のＸ線検出素子による検出データ（以下、レファレンス検出データという）を用いて正規化するＸ線強度補正を行う。
【００５５】
ところで、Ｘ線管２０の陽極が電子ビームの衝突による熱膨張で変形したり、スキャン中にＸ線管２０やＸ線検出器２４等に遠心力が働いて撮影系が歪んだりすると、Ｘ線焦点の位置すなわち散乱線以外の直接Ｘ線であるＸ線ビーム４００の位置が、Ｘ線検出器２４に対してわずかに変化する。Ｘ線検出器２４に対するＸ線ビーム４００の位置が変化すると、Ｘ線ビーム４００とコリメータ板２５の板面との平行関係が微妙に崩れ、Ｘ線ビーム４００とコリメータ板２５の板面とが干渉する。そして、Ｘ線検出素子２４（ｉｋ）に照射されるＸ線の線量が変化する。コリメータ板２５がＸ線検出素子を１個ずつ区切るように配置されている場合、その変化の仕方は一様であると考えられる。一方、コリメータ板２５がＸ線検出素子を複数個ずつ区切るように配置されている場合には、その変化の仕方は、Ｘ線検出素子２４（ｉｋ）とその近傍のコリメータ板との相対的な位置関係に応じて異なる。
【００５６】
例えば、本例のＸ線検出器２４に対して、Ｘ線焦点の位置が標準的な所定位置からチャネル方向ｃｈに移動する場合を想定する。すると、図５に示すように、コリメータ板２５でチャネル方向ｃｈに挟まれる２チャネルのＸ線検出素子のうち一方（左側）は、Ｘ線ビーム４００とコリメータ板２５の板面との干渉による影響をほとんど受けず、Ｘ線検出素子２４（ｉｋ）に照射されるＸ線の線量ＷLは、ほとんど変わらない。ところが、他方（右側）では、Ｘ線ビーム４００とコリメータ板２５の板面との干渉により、Ｘ線検出素子２４（ｉｋ）に照射されるＸ線の線量ＷRが減少する。したがって、このような場合に、個々のメイン検出データに対して、同じレファレンス検出データを用いて一様にＸ線強度補正を行うと、チャネル間でＸ線強度補正の誤差が発生することになる。
【００５７】
しかしながら、Ｘ線検出素子２４（ｉｋ）とその近傍のコリメータ板２５との相対的な位置関係が実質的に同じであるＸ線検出素子同士では、その照射されるＸ線の線量の変化の仕方は、略同じであると考えることができる。
【００５８】
そこで、本実施形態では、Ｘ線検出器２４におけるメインチャネル２６およびレファレンスチャネル２７の各Ｘ線検出素子を、そのＸ線検出素子とその近傍のコリメータ板２５との相対的な位置関係に応じて複数のタイプに分類する。そして、メイン検出データに対して、そのデータが得られたＸ線検出素子と同じタイプのＸ線検出素子によるレファレンス検出データを用いて、Ｘ線強度補正を行う。このようにすれば、Ｘ線検出器２４に対するＸ線ビーム４００の位置の変化によるＸ線強度補正のチャネル間の誤差を低減することができる。
【００５９】
本例では、図２に示すように、各検出素子列において隣り合うコリメータ板２５同士の間に挟まれる２チャネルのＸ線検出素子について、第１の位置関係にあるＸ線検出素子（右側）をＲタイプ（type）、第２の位置関係にあるＸ線検出素子（左側）をＬタイプとする。
【００６０】
図６は、第一実施形態のＸ線ＣＴ装置におけるＸ線強度補正に関わる部分の機能ブロック図である。また、図７は、第一実施形態によるＸ線強度補正を概念的に示す図である。
【００６１】
図６に示すように、本Ｘ線ＣＴ装置は、Ｘ線強度補正部６０６を有している。レファレンス検出データは、Ｘ線強度補正部６０６に入力される。Ｘ線強度補正部６０６は、レファレンス検出データを用いて、ビューデータメモリ６６２から読み出したビューデータについてＸ線強度補正を行う。Ｘ線強度補正部６０６は中央処理装置６０の機能によって実現される。ビューデータメモリ６６２は、記憶装置６６の一部に相当する。
【００６２】
Ｘ線強度補正部６０６は、Ｒタイプ用補正部６０６Ｒと、Ｌタイプ用補正部６０６Ｌとを有している。
【００６３】
Ｒタイプ用補正部６０６Ｒは、図７に示すように、メインチャネル２６のうちＲタイプに分類されるＸ線検出素子によるメイン検出データに対して、レファレンスチャネル２７の同じＲタイプに分類されるＸ線検出素子によるレファレンス検出データＤ２７Ｒを用いて、Ｘ線強度補正を行う。同様に、Ｌタイプ用補正部６０６Ｌは、メインチャネル２６のうちＬタイプに分類されるＸ線検出素子によるメイン検出データに対して、レファレンスチャネル２７の同じＬタイプに分類されるＸ線検出素子によるレファレンス検出データＤ２７Ｌを用いて、Ｘ線強度補正を行う。本例では、レファレンスチャネル２７のＸ線検出素子はタイプごとに複数個あり、レファレンス検出データＤ２７Ｒ，Ｄ２７Ｌはそれぞれ複数個あるので、それらの平均値を用いてＸ線強度補正を行う。単一のレファレンス検出データを用いてＸ線強度補正を行うこともできるが、複数個のレファレンス検出データの平均値を用いた方が、レファレンス検出データに含まれるノイズが低減され、ＳＮ比がよくなる。
【００６４】
Ｘ線強度補正は、下記の数式１ａ，１ｂまたは数式２ａ，２ｂによって行う。数式１ａ，１ｂは、各データが対数変換済みの場合の式であり、数式２ａ，２ｂは、各データが対数変換されていないの場合の式である。
【００６５】
（対数変換前）
Ｄｃ（ｉｋ）＝Ｄ２７Ｒ−Ｄｍ（ｉｋ）  （Ｒタイプ）  ・・・（数式１ａ）
Ｄｃ（ｉｋ）＝Ｄ２７Ｌ−Ｄｍ（ｉｋ）  （Ｌタイプ）  ・・・（数式１ｂ）
（対数変換後）
Ｄｃ（ｉｋ）＝Ｄ２７Ｒ／Ｄｍ（ｉｋ）  （Ｒタイプ）  ・・・（数式２ａ）
Ｄｃ（ｉｋ）＝Ｄ２７Ｌ／Ｄｍ（ｉｋ）  （Ｌタイプ）  ・・・（数式２ｂ）
ここで、各項は次の通りである。
Ｄｃ（ｉｋ）：補正後のデータ
Ｄｍ（ｉｋ）：補正前のデータ
Ｄ２７Ｒ：ＲタイプのＸ線検出素子によるレファレンス検出データ
Ｄ２７Ｌ：ＬタイプのＸ線検出素子によるレファレンス検出データ
【００６６】
補正済みのデータは、画像再構成部６０８に入力される。画像再構成部６０８は入力データを用い、フィルタード・バックプロジェクション法等により画像再構成を行う。画像再構成部６０８は、中央処理装置６０の機能によって実現される。再構成画像は、画像メモリ６６４に記憶される。画像メモリ６６４は、記憶装置６６の一部に相当する。
【００６７】
（第二実施形態）
図８は、第二実施形態によるＸ線検出器２４ａの模式的構成を示す図である。図８（ａ）は、Ｘ線検出器２４ａをＸ線管２０側から見た図、図８（ｂ）は、Ｘ線検出器２４ａを列方向ｒｏｗに見た図である。
【００６８】
図８に示すように、Ｘ線検出器２４ａでは、複数のコリメータ板２５は、Ｘ線検出器２４ａの各Ｘ線検出素子を、チャネル方向ｃｈに２個ずつ、列方向ｒｏｗにも２個ずつ区切るように、つまり格子状に配置されている。
【００６９】
本例では、図８に示すように、コリメータ板２５によりチャネル方向ｃｈおよび列方向ｒｏｗに２個ずつで区切られた４チャネルのそれぞれについて、近傍のコリメータ板との相対的な位置関係が第１の位置関係（右上）にあるＸ線検出素子をＲＦタイプ、第２の位置関係（左上）にあるＸ線検出素子をＬＦタイプ、第３の位置関係（右下）にあるＸ線検出素子をＲＢタイプ、第４の位置関係（左下）にあるＸ線検出素子をＬＢタイプと分類する。
【００７０】
図９は、第二実施形態のＸ線ＣＴ装置におけるＸ線強度補正に関わる部分の機能ブロック図である。また、図１０は、第二実施形態によるＸ線強度補正の一部を概念的に示す図である。
【００７１】
Ｘ線強度補正部６０６ａは、ＲＦタイプ用補正部６０６ＲＦと、ＲＢタイプ用補正部６０６ＲＢと、ＬＦタイプ用補正部６０６ＬＦと、ＬＢタイプ用補正部６０６ＬＢとを有している。
【００７２】
ＲＦタイプ用補正部６０６ＲＦは、図１０に示すように、メインチャネル２６のうちＲＦタイプに分類されるＸ線検出素子によるメイン検出データに対して、レファレンスチャネル２７の同じＲＦタイプに分類されるＸ線検出素子によるレファレンス検出データＤ２７ＲＦを用いて、Ｘ線強度補正を行う。同様に、ＲＢタイプ用補正部６０６ＲＢは、ＲＢタイプに関するＸ線強度補正、ＬＦタイプ用補正部６０６ＬＦは、ＬＦタイプに関するＸ線強度補正、ＬＢタイプ用補正部６０６ＬＢは、ＬＢタイプに関するＸ線強度補正を行う。
【００７３】
（第三実施形態）
図１１は、第三実施形態によるＸ線検出器２４ｂの模式的構成を示す図であり、Ｘ線検出器２４ｂをＸ線管２０側から見た図である。
【００７４】
図１１に示すように、Ｘ線検出器２４ｂでは、複数のコリメータ板２５は、メインチャネル２６およびレファレンスチャネル２７のそれぞれについて、一部ではＸ線検出素子をチャネル方向ｃｈに１個ずつ区切るように、他部ではチャネル方向ｃｈに２個ずつ区切るように配置されている。
【００７５】
本例では、図１１に示すように、コリメータ板２５によりチャネル方向ｃｈに１個幅で区切られているチャネルのＸ線検出素子をＴタイプ、チャネル方向ｃｈに２個幅で区切られている２チャネルの右側のＸ線検出素子をＲタイプ、左側のＸ線検出素子をＬタイプと分類する。
【００７６】
後は、上記の各実施形態と同様に、同じタイプのＸ線検出素子により得られたメイン検出データとレファレンス検出データとでＸ線強度補正を行う。
【００７７】
（第四実施形態）
図１２は、第四実施形態によるＸ線検出器２４ｃの模式的構成を示す図であり、Ｘ線検出器２４ｃをＸ線管２０側から見た図である。
【００７８】
図１２に示すように、Ｘ線検出器２４ｃでは、第三実施形態によるＸ線検出器２４ｂをベースにして、さらに、複数のコリメータ板２５が、Ｘ線検出素子を列方向ｒｏｗに２個ずつ区切るように配置されている。
【００７９】
本例では、図１２に示すように、コリメータ板２５により、チャネル方向ｃｈに２個幅、列方向ｒｏｗに２個幅で区切られた４チャネルのそれぞれを、ＲＦタイプ，ＲＢタイプ、ＬＦタイプ、ＬＢタイプとする。また、コリメータ板２５によりチャネル方向ｃｈに１個幅で区切られ、列方向ｒｏｗに２個幅で区切られた２チャネルの上側のＸ線検出素子をＴＦタイプ、下側のＸ線検出素子をＴＢタイプと分類する。
【００８０】
（第五実施形態）
図１３は、第五実施形態によるＸ線検出器２４ｄの模式的構成を示す図であり、Ｘ線検出器２４ｄをＸ線管２０側から見た図である。
【００８１】
図１３に示すように、Ｘ線検出器２４ｄでは、第三実施形態によるＸ線検出器２４ｂをベースにして、さらに、複数のコリメータ板２５が、一部ではＸ線検出素子を列方向ｒｏｗに１個ずつ区切るように、他部では列方向ｒｏｗに２個ずつ区切るように配置されている。
【００８２】
本例では、図１３に示すように、コリメータ板２５によりチャネル方向ｃｈに２個幅、列方向ｒｏｗに２個幅で区切られた４チャネルのそれぞれを、ＲＦタイプ，ＲＢタイプ、ＬＦタイプ、ＬＢタイプとする。また、コリメータ板２５によりチャネル方向ｃｈに１個幅で区切られ、列方向ｒｏｗに２個幅で区切られた２チャネルの上側のＸ線検出素子をＴＦタイプ、下側のＸ線検出素子をＴＢタイプと分類する。また、コリメータ板２５によりチャネル方向ｃｈに２個幅で区切られ、列方向ｒｏｗに１個幅で区切られた２チャネルの右側のＸ線検出素子をＲＳタイプ、左側のＸ線検出素子をＬＳタイプと分類する。また、コリメータ板２５によりチャネル方向ｃｈおよび列方向ｒｏｗに１個幅ずつで区切られたチャネルのＸ線検出素子をＴＳタイプと分類する。
【００８３】
（第六実施形態）
図１４は、第六実施形態によるＸ線検出器２４ｅの模式的構成を示す図であり、Ｘ線検出器２４ｅをＸ線管２０側から見た図である。
【００８４】
図１４に示すように、Ｘ線検出器２４ｅでは、複数のコリメータ板２５は、メインチャネル２６およびレファレンスチャネル２７のそれぞれについて、一部ではＸ線検出素子をチャネル方向ｃｈに１個ずつまたは１個幅で区切るように、他の一部ではチャネル方向ｃｈに２個ずつまたは２個幅で区切るように、さらに他の一部ではチャネル方向ｃｈに３個ずつまたは３個幅で区切るように、配置されている。
【００８５】
本例では、図１４に示すように、コリメータ板２５によりチャネル方向ｃｈに１個幅で区切られているチャネルのＸ線検出素子をＴタイプ、チャネル方向ｃｈに２個幅で区切られている２チャネルの右側のＸ線検出素子をＲタイプ、左側のＸ線検出素子をＬタイプと分類する。また、チャネル方向ｃｈに３個幅で区切られている３チャネルの右側のＸ線検出素子をＭタイプ、真中のＸ線検出素子をＣタイプ、左側のＸ線検出素子をＨタイプと分類する。
【００８６】
（第七実施形態）
図１５は、第七実施形態によるＸ線検出器２４ｆの模式的構成を示す図であり、Ｘ線検出器２４ｆをＸ線管２０側から見た図である。
【００８７】
図１５に示すように、Ｘ線検出器２４ｆでは、第六実施形態によるＸ線検出器２４ｅをベースにして、さらに、複数のコリメータ板２５が、一部ではＸ線検出素子を列方向ｒｏｗに２個幅で区切るように、他部では列方向ｒｏｗに３個幅で区切るように配置されている。
【００８８】
本例では、図１５に示すように、近傍のコリメータ板との相対的な位置関係に応じて、Ｘ線検出素子を、ＨＥ，・・・，ＭＵ、ＨＦ，・・・，ＭＢ、ＬＥ，・・・，ＲＵ、ＬＦ，・・・，ＲＢ、ＴＥ，・・・，ＴＵ、ＴＦ，ＴＢの全３０種類のタイプに分類する。
【００８９】
以上、このような各実施形態によれば、メイン検出データに対してＸ線強度補正を行う際に、コリメータ板との相対的な位置関係が、そのメイン検出データが得られたＸ線検出素子と実質的に同じであるＸ線検出素子によるレファレンス検出データを用いて行う。すなわち、コリメータ板とＸ線検出素子との相対的な位置関係が、補正対象のメイン検出データが得られたＸ線検出素子と、Ｘ線強度補正に用いるレファレンス検出データが得られたＸ線検出素子とで実質的に同じになるように、レファレンス検出データを使い分ける。これにより、Ｘ線ビームがＸ線検出器に対して移動し、Ｘ線検出素子に照射されるＸ線の線量が、そのＸ線検出素子とコリメータとの相対的な位置関係に応じて変化しても、照射されるＸ線の線量が同じ変化の仕方をするＸ線検出素子によるレファレンス検出データを用いて、Ｘ線強度補正を行うことができる。よって、コリメータがＸ線検出器のＸ線入射面上に複数個のＸ線検出素子を区切るように配置されていても、Ｘ線検出器に対するＸ線ビームの位置変化によるＸ線強度補正の誤差を少なくすることができるＸ線ＣＴ装置を実現させることができる。Ｘ線強度補正の誤差を少なくすることで、特に再構成画像上のリングアーチファクトを効果的に低減することができる。
【００９０】
なお、その結果、Ｘ線強度補正の誤差の発生というデメリット（demerit）を考える必要なしに、種々の目的でコリメータを複数個のＸ線検出素子を区切るように設置することができる。例えば、部品コストの削減、Ｘ線検出素子の微細化・多数化への対応、組み立て性の向上、Ｘ線の幾何学的利用効率の維持・向上、散乱線量の推定やＸ線管におけるターゲット類の熱的変形の情報収集等を目的として、コリメータを複数個のＸ線検出素子を区切るように設置することができる。
【００９１】
なお、発明の実施形態は、上記の実施形態に限定されず、発明の趣旨を逸脱しない範囲において、種々の追加・変更が可能である。
【００９２】
例えば、Ｘ線検出器は、単一列検出器、すなわちシングルスライス（single
slice）検出器であってもよい。
【００９３】
また例えば、Ｘ線検出器のコリメータ板は、Ｘ線検出素子を列方向ｒｏｗにのみ区切るように配列されていてもよい。このような場合にも、上記の実施形態と同様の方法でＸ線強度補正を行うことができる。
【００９４】
また例えば、Ｘ線検出器のコリメータ板は、チャネル方向ｃｈおよび／または列方向ｒｏｗにおいて均等に配列されている必要はなく、例えばＸ線検出器の中央部では２個ずつ、周辺部では３個ずつ、Ｘ線検出素子を区切るように配列されていてもよい。これにより、例えば、Ｘ線検出器における位置に応じて散乱線の除去効果を変化させて、コスト削減と再構成画像の画質とをバランス（balance）させることができる。ただしこの場合には、メインチャネルで分類されるすべてのタイプがレファレンスチャネルにも含まれるようにコリメータ板の配置を調整する。そして、同じタイプのメイン検出データとレファレンス検出データとでＸ線強度補正を行う。
【００９５】
また例えば、Ｘ線検出器のＸ線入射面は、円筒凹面状に湾曲した形状でなくてもよく、コリメータ板が、その板面が直接Ｘ線ビームと平行になるような向きで取り付けられていれば、フラットな平面形状であってもよい。
【００９６】
また例えば、上記の実施形態では、発明の趣旨に照らして、検出データに対する補正としてＸ線強度補正に絞って説明しているが、もちろんその他の補正、例えばオフセット（offset）補正やビームハードニング（beam hardening）補正、チャネル間感度特性補正なども適宜行われる。
【符号の説明】
【００９７】
２ 走査ガントリ
４ 撮影テーブル
６ 操作コンソール
８ 対象
２０ Ｘ線管
２２ アパーチャ
２４，２４ａ〜２４ｆ Ｘ線検出器
２５ コリメータ板
２６ データ収集部
２８ Ｘ線コントローラ
３０ アパーチャコントローラ
３４ 回転部
３６ 回転コントローラ
６０ 中央処理装置
６２ 制御インタフェース
６４ データ収集バッファ
６６ 記憶装置
６８ 表示装置
７０ 入力装置
４００ Ｘ線ビーム
６０６，６０６ａ Ｘ線強度補正部
６０６Ｒ Ｒタイプ用補正部
６０６Ｌ Ｌタイプ用補正部
６０６ＲＦ ＲＦタイプ用補正部
６０６ＲＢ ＲＢタイプ用補正部
６０６ＬＦ ＬＦタイプ用補正部
６０６ＬＢ ＬＢタイプ用補正部
６０８ 画像再構成部
６６２ ビューデータメモリ
６６４ 画像メモリ
【図１】
2011229605.tif 000003
【図２】
2011229605.tif 000004
【図３】
2011229605.tif 000005
【図４】
2011229605.tif 000006
【図５】
2011229605.tif 000007
【図６】
2011229605.tif 000008
【図７】
2011229605.tif 000009
【図８】
2011229605.tif 000010
【図９】
2011229605.tif 000011
【図１０】
2011229605.tif 000012
【図１１】
2011229605.tif 000013
【図１２】
2011229605.tif 000014
【図１３】
2011229605.tif 000015
【図１４】
2011229605.tif 000016
【図１５】
2011229605.tif 000017